(57)【要約】【課題】使用者がミラーキャビネットに近づかなくてもヘアドライヤーの風吹出口からの風を強く髪に当てることを可能にして良好な使い勝手を備えるようにしたミラーキャビネットを提供する。【解決手段】前面にミラー３が備わる扉２をキャビネット部７に枢支して前後に回動自在にして成るミラーキャビネット１である。扉２の裏側に、少なくとも扉２をキャビネット部７に対して開放したときに風吹出口６がミラーキャビネット１の前方に向く姿勢になるようにヘアドライヤー５を支持可能にする、ヘアドライヤー支持部４を設ける。【選択図】図１
2008237613.tif 000002
【特許請求の範囲】
【請求項１】
前面にミラーが備わる扉をキャビネット部に枢支して前後に回動自在にして成るミラーキャビネットにおいて、扉の裏側に、少なくとも扉をキャビネット部に対して開放したときに風吹出口がミラーキャビネットの前方に向く姿勢になるようにヘアドライヤーを支持可能にする、ヘアドライヤー支持部を設けたことを特徴とするミラーキャビネット。
【請求項２】
ヘアドライヤー支持部を有した扉に備わるミラーの一端を扉の回動端部に枢支して、このミラーを前後に回動自在にしたことを特徴とする請求項１記載のミラーキャビネット。
【請求項３】
ヘアドライヤー支持部を有した扉の回動端側に他の扉を配置し、この他の扉の前面に備えたミラーを、上記ヘアドライヤー支持部を有した扉側の一端が前後への回動中心となるように回動姿勢を可変自在にしたことを特徴とする請求項１又は２記載のミラーキャビネット。
【発明の詳細な説明】
【技術分野】
【０００１】
本発明は、ミラーキャビネットに関するものである。
【背景技術】
【０００２】
従来からミラーキャビネット１には、図９のようにヘアドライヤー５を取り付けて両手で髪をいじりながら整髪等の作業を行い得るようにしたものが知られている（たとえば特許文献１，２参照）。しかしながら、このミラーキャビネット１では、収納状態にあるヘアドライヤー５も露出されてミラーキャビネット１のすっきりした外観を損ねてしまうばかりか、ヘアドライヤー５は定位置で動かないため、ヘアドライヤー５からの風を強く髪に当てたい場合には使用者が頭を突き出したり移動したりして対処しなければならず、使い勝手は良好とは言えなかった。
【０００３】
更に言うと、ミラー３も定位置で動かないため、ミラー３に映る自身の鏡像を見ながらヘアドライヤー５の風を強く髪に当てて整髪を行いたい場合には、使用者はミラー３に自身を映らせつつヘアドライヤー５に近接しなければならず、使い勝手は非常に悪いものであった。
【特許文献１】特許第２８６１２７２号公報
【特許文献２】特開平１１−９３６４号公報
【発明の開示】
【発明が解決しようとする課題】
【０００４】
本発明は上記の点に鑑みてなされたものであり、その目的とするところは、使用者がミラーキャビネットに近づかなくてもヘアドライヤーの風吹出口からの風を強く髪に当てることを可能にして良好な使い勝手を備えるようにしたミラーキャビネットを提供することを課題とするものである。
【課題を解決するための手段】
【０００５】
上記課題を解決するために請求項１に係るミラーキャビネットにあっては、前面にミラー３が備わる扉２をキャビネット部７に枢支して前後に回動自在にして成るミラーキャビネット１において、扉２の裏側に、少なくとも扉２をキャビネット部７に対して開放したときに風吹出口６がミラーキャビネット１の前方に向く姿勢になるようにヘアドライヤー５を支持可能にする、ヘアドライヤー支持部４を設けたことを特徴とする。
【０００６】
これによると、ヘアドライヤー支持部４を有した扉２ａを前方に回動させることで、ヘアドライヤー支持部４に支持したヘアドライヤー５をミラーキャビネット１の前方に位置する使用者に近づけることができ、使用者がミラーキャビネット１に近づくかなくてもヘアドライヤー５の風吹出口６からの風を強く髪に当てることができ、ミラーキャビネット１の使い勝手を向上できる。
【０００７】
また、請求項２に係るミラーキャビネットにあっては、請求項１において、ヘアドライヤー支持部４を有した扉２ａに備わるミラー３ａの一端を扉２の回動端部に枢支して、このミラー３ａを前後に回動自在にしたことを特徴とする。
【０００８】
これによると、ヘアドライヤー支持部４に支持したヘアドライヤー５を使用して整髪作業等を行う使用者が移動することなく、ヘアドライヤー支持部４を有した扉２ａに備わるミラー３ａを回動させて使用者の姿を映すようにできるから、ミラーキャビネット１の使い勝手を向上できる。
【０００９】
また、請求項３に係るミラーキャビネットにあっては、請求項１又は２において、ヘアドライヤー支持部４を有した扉２ａの回動端側に他の扉２ｂを配置し、この他の扉２ｂの前面に備えたミラー３ｂを、上記ヘアドライヤー支持部４を有した扉２ａ側の一端が前後への回動中心となるように回動姿勢を可変自在にしたことを特徴とする。
【００１０】
これによると、ヘアドライヤー支持部４を有した扉２ａの回動端側に位置する他の扉２ｂのミラー３ｂは、ヘアドライヤー支持部４を有した扉２ａ側の一端が前後への回動中心となるように回動姿勢を可変自在にされているので、この他の扉２ｂのミラー３ｂは、ヘアドライヤー支持部４に支持したヘアドライヤー５を使用して整髪作業等を行う使用者に対面するようにその回動姿勢を変化させることができるのであり、しかして、使用者は特に移動することなく、上記回動姿勢を変化させて使用者に対面させたミラー３ｂに映る自身の鏡像を利用し、整髪作業等を行うことができるのであり、ミラーキャビネット１の使い勝手を向上できる。
【００１１】
更に言うと、ヘアドライヤー支持部４を有した扉２ａに備わるミラー３ａが回動自在にされた場合（請求項２）には、ヘアドライヤー支持部４を有した扉２ａに備わるミラー３ａと、上記他の扉２ｂに備わるミラー３ｂとに、使用者の姿を異なる角度から映し出すようにでき、つまり、異なる角度からの使用者自身の鏡像を利用してヘアドライヤー５を使った整髪作業等を行うことができるから、ミラーキャビネット１の使い勝手を更に向上できる。
【発明の効果】
【００１２】
本発明にあっては、使用者がミラーキャビネットに近づかなくてもヘアドライヤーの風吹出口からの風を強く髪に当てることを可能にし、ミラーキャビネットに良好な使い勝手を確保できる、という利点を有する。
【発明を実施するための最良の形態】
【００１３】
以下、本発明を添付図面に示す実施形態に基いて説明する。
【００１４】
図１乃至図４に本発明の実施の形態の例を示す。本例では本発明に特有の構成を有するミラーキャビネット１を備えた洗面化粧台１０を例示する。
【００１５】
この洗面化粧台１０は、図２及び図３のように、洗面ボウル１３を備えた洗面台１１の後部に洗面ボウル１３での水跳ねを受けるための立ち上がり壁部１４を立設し、前面にミラー３を備えたミラーキャビネット１を立ち上がり壁部１４の上に載設して構成されている。
【００１６】
ここで、本例の洗面ボウル１３は樹脂製であり、ボウル部１３ａの後部から鉛直板状の立ち上がり壁部１４を一体に上方に延出してあり、ボウル部１３ａの後部の幅方向の中央部ではボウル部１３ａの底面から立ち上がる側面が立ち上がり壁部１４に連続して繋がるようにされ、ボウル部１３ａの後部の幅方向の両端部ではボウル部１３ａの上面より一段下がるような台部１３ｂがボウル部１３ａの底面から立設されている。
【００１７】
また、ミラーキャビネット１は、前方に開口した函状のキャビネット部７とキャビネット部７の前方開口を塞ぐように配置される扉２とを有する。キャビネット部７はその内部空間が、縦リブ７ａや棚となる横リブ７ｂによって、複数の収納部８に区分けされている。扉２はキャビネット部７の幅方向に並んで複数（本例では３つ）設けられており、各扉２の前面には略全面に亙ってミラー３がそれぞれ備えられていてミラー３付きの扉２にされている。各扉２は、その幅方向の一端がキャビネット部７に枢支されて収納部８を開閉するように回動自在にされており、各扉２のミラー３が洗面化粧台１０の幅方向の中央前方に立つ使用者に向くような３面鏡状にできるようにされている。なお、各扉２はその下端がキャビネット部７の下端と略同位置になるようにキャビネット部７に取着されている。また、キャビネット部７の上端にはミラーキャビネット１の前方を照らすことのできる照明装置１８が載設される。
【００１８】
キャビネット部７の下端部には幅方向の中央部分にカラン部１５が配置されている。カラン部１５は湯水混合栓や吐水管１６や吐水操作杆１７を有している。なお、湯水混合栓は洗面化粧台１０を沿わせる建物壁の壁内や立ち上がり壁部１４の内部に配管される給湯管や給水管に接続される。吐水管１６は湯水混合栓で混合された水を吐出する部位である。吐水操作杆１７は湯水混合栓での湯水の混合比と吐水量を操作可能なレバーである。ここで、カラン部１５の主要部構成物である湯水混合栓はキャビネット部７や扉２で隠匿されている。一方、湯水混合栓から垂下する吐水管１６や吐水操作杆１７はキャビネット部７や扉２から下方に突出されて洗面化粧台１０の前方の使用者に目視され、使用、操作可能にされている。なお、吐水管１６から吐水される洗面用の水は台部１３ｂにかからず、ボウル部１３ａの底面に至るようにされている。したがって、本例の洗面化粧台１０は、扉２を閉めたときには図２のように、煩雑な印象を与えるカラン部１５をその使用、操作に支障をきたさない程度に極力外観に出さないようにされ、すっきりとしたシンプルな外観が現出されるようになっている。
【００１９】
詳しくは、本例のミラーキャビネット１の扉２は、図４のように、キャビネット部７の前面の左端域を覆う左扉２０、キャビネット部７の前面の中央域を覆う中央扉２１、キャビネット部７の前面の左端域を覆う右扉２２で構成されている。そして、中央扉２１はその左端部がキャビネット部７に対する枢支部２３とされ、左扉２０や右扉２２はそれぞれミラーキャビネット１の幅方向中央側の端部がキャビネット部７に対する枢支部２３とされて、各々前後に回動自在にされている（矢印Ａ）。また各扉２の前面にはミラー３が略全面に亙って貼着されている。したがって、中央扉２１を閉じた状態にすると共に両側の扉２を前方に回動させたときには、各扉２のミラー３が洗面化粧台１０の幅方向の中央前方に立つ使用者に向くような３面鏡状になる。
【００２０】
ここで、図１のように、本例の中央扉２１の裏側にはヘアドライヤー５を着脱自在に支持させるヘアドライヤー支持部４が設けられている。ヘアドライヤー支持部４は、扉２の裏側に突設した棚板状の載置部２４と、この載置部２４に裏側から形成した機器係止用切欠２５とで構成されている。ヘアドライヤー５は、一般に起風させた風が吹き出される風吹出口６を先端に備えた筒状の出力部５ａと、この出力部５ａの一端から突設した棒状の把持部５ｂとを備えて構成されるが、ヘアドライヤー５は把持部５ｂを機器係止用切欠２５に挿入して出力部５ａを載置部２４に載せ置くことでヘアドライヤー支持部４に支持される。なお、ヘアドライヤー支持部４に支持した状態のヘアドライヤー５は、機器係止用切欠２５に把持部５ｂを挿通させた状態で把持部５ｂの軸周りに回動可能にされている。したがって、扉２をキャビネット部７に対して開放したときに風吹出口６がミラーキャビネット１の前方に立つ使用者に向くようにヘアドライヤー５の支持姿勢を調節できるようにされている。
【００２１】
上記構成を備えた本例のミラーキャビネット１では、図１のようにヘアドライヤー支持部４を有した扉２ａ（中央扉２１）を前方に回動させることで、ヘアドライヤー支持部４に支持したヘアドライヤー５をミラーキャビネット１の前方に位置する使用者に近づけることができる。換言すると、中央扉２１を前方に回動すればするだけ、ヘアドライヤー支持部４に支持したヘアドライヤー５のキャビネット部７からの前方突出長Ｌを大きくすることができる。したがって、使用者がミラーキャビネット１に近づくかなくてもヘアドライヤー５の風吹出口６からの風を強く髪に当てることができるのであって、ミラーキャビネット１に良好な使い勝手が備えられている。
【００２２】
無論、ヘアドライヤー支持部４を有した扉２ａ（中央扉２１）を前方に回動させると、該扉２ａのキャビネット部７に対する回動角度が変わることとなるので、ヘアドライヤー支持部４に支持したヘアドライヤー５の風吹出口６の向きが変わることとなる。つまり、使用者は、ヘアドライヤー５のヘアドライヤー支持部４への支持姿勢を調節するまでもなく、このヘアドライヤー支持部４より近い位置にある扉２ａの回動端を持って扉２ａの回動具合を調節することで、ヘアドライヤー５の風吹出口６の向きを変えて風吹出口６からの風を効率良く髪に当てることができるのであり、この点でもミラーキャビネット１に良好な使い勝手が備えられている。
【００２３】
また、本例のミラーキャビネット１では、ヘアドライヤー支持部４を有した扉２ａ（中央扉２１）の回動端側には、他の扉２ｂ（右扉２２）が隣接配置されるのであって、この他の扉２ｂ（右扉２２）は、ヘアドライヤー支持部４を有した扉２ａ（中央扉２１）側の一端がキャビネット部７に対する枢支部２３とされると共に、その前面にミラー３ｂが貼着されている。しかして、図１のようにヘアドライヤー５を使用するべく中央扉２１を前方に回動させた開放状態にしたときに、右扉２２も前方に回動させて開放状態にすると、右扉２２の前面のミラー３ｂをミラーキャビネット１の幅方向の中央前方に立つ使用者に対して対面するような回動姿勢にできる。これによると、ミラーキャビネット１の幅方向の中央前方に立つ使用者が特に移動することもなく、右扉２２のミラー３ｂに自身の姿を映すようにできるから、ミラー３ｂに映る自身の鏡像を利用して、ヘアドライヤー支持部４に支持したヘアドライヤー５を使って整髪作業等を行うことができるのであり、この点でもミラーキャビネット１に良好な使い勝手が備えられているのである。
【００２４】
更に言うと、本例のミラーキャビネット１では、裏側にヘアドライヤー支持部４を有した扉２ａ（中央扉２１）をキャビネット部７に対して閉じたときには、ヘアドライヤー支持部４がキャビネット部７の収納部８内に位置するようになり、つまり、ヘアドライヤー支持部４にヘアドライヤー５を支持させたまま扉２ａをキャビネット部７に対して閉塞すると、ヘアドライヤー５は収納部８に収められるようになるから、図２のようにヘアドライヤー５を扉２ａで隠匿させて収納部８に容易に収納できてミラーキャビネット１にすっきりした外観を確保できる。なお、上記収納部８にはヘアドライヤー５以外の整髪剤等の収納物も収納可能であるのは言うまでもない。
【００２５】
なお、ヘアドライヤー支持部４は、図５のように扉２ａの裏側に対して上下に亙るレール材２６を配置すると共にこのレール材２６に対して上下移動可能に載置部２４を取り付けたり、図６のように棒状のレール材２６に載置部２４の一端部を水平回転自在に枢支させたりして、ヘアドライヤー支持部４に支持したヘアドライヤー５の風吹出口６の上下位置や向きを大きく調節可能にすることも好ましく、これによってもミラーキャビネット１に良好な使い勝手を備えることができる。
【００２６】
また、図７及び図８の例の洗面化粧台１０におけるミラーキャビネット１の扉２は、先例と同様に、左扉２０、中央扉２１及び右扉２２で構成されているが、左扉２０や右扉２２はそれぞれミラーキャビネット１の幅方向外側の端部がキャビネット部７に対する枢支部２３とされて各々前後に回動自在にされている。したがって、図８（ａ）のように左扉２０や右扉２２を前方に回動させて開けた状態にすると（矢印Ｂ）、左扉２０や右扉２２で塞がれていた各収納部８がミラーキャビネット１の幅方向の中央前方に位置する使用者に向けて開けられた状態となり、使用者が左扉２０や右扉２２で覆う収納部８に対して収納物を出し入れし易くなっている。また、各扉２の前面には先例と同様にミラー３が備えられるが、中央扉２１に備わるミラー３は中央扉２１の前面に貼着されており、左扉２０及び右扉２２に備わるミラー３はミラーキャビネット１の幅方向中央側の端部が各扉２０，２２に対する枢支部２７とされて各々前後に回動自在にされている。したがって、図８（ｂ）のように中央扉２１を閉じた状態にすると共に両側の扉２０，２２に備わるミラー３を前方に回動させたときには（矢印Ｃ）、各扉２のミラー３が洗面化粧台１０の幅方向の中央前方に立つ使用者に向くような３面鏡状になる。
【００２７】
ここで、本例のミラーキャビネット１では、図７のように、左扉２０の裏側にヘアドライヤー支持部４が設けられている。上記のように左扉２０はミラーキャビネット１の幅方向外側の端部がキャビネット部７に対する枢支部２３とされているから、左扉２０を前方に回動させて開けたときには左扉２０の裏側がミラーキャビネット１の幅方向の中央前方に立つ使用者に対面し、使用者がヘアドライヤー支持部４にヘアドライヤー５を容易に取り付けできるようにしてミラーキャビネット１に良好な使い勝手を確保しているが、このヘアドライヤー支持部４を有した左扉２０には前面のミラー３ａが前後に回動自在に左扉２０に対して枢支されており、この点でもミラーキャビネット１に良好な使い勝手を確保している。
【００２８】
つまり、ヘアドライヤー支持部４が備わる左扉２０をキャビネット部７に対して前方に回動させて開けた状態にして、ヘアドライヤー支持部４に支持したヘアドライヤー５を使って整髪作業等を行う場合に、図７のように、左扉２０に備わるミラー３ａを前方に回動させると、鏡面となっているミラー３ａの前面をミラーキャビネット１の幅方向の中央前方に立つ使用者に対面するようにできるから、使用者は特に移動することなく自身の姿をミラー３ａに映すようにでき、ミラー３ａに映る自身の鏡像を利用して、ヘアドライヤー支持部４に支持したヘアドライヤー５を使った整髪作業等を行うことができるのであって、ミラーキャビネット１に良好な使い勝手が確保されているのである。
【００２９】
更に言うと、本例のミラーキャビネット１では、ヘアドライヤー支持部４を有した扉２ａ（左扉２０）の回動端側には他の扉２ｂ（中央扉２１や右扉２２）が配置されるのであるが、ここで、中央扉２１は左扉２０側の一端（左端）がキャビネット部７に対する枢支部２３とされると共にその前面にミラー３ｂが貼着されるのであり、また右扉２２に備わるミラー３ｂは左扉２０側の一端（左端）が右扉２２に対する枢支部２７とされており、つまり、上記他の扉２ｂに備わる各ミラー３ｂは、ヘアドライヤー支持部４を有した扉２ａ側の一端が前後への回動中心となるように回動姿勢が可変自在にされている。
【００３０】
したがって、ヘアドライヤー支持部４に支持したヘアドライヤー５を使用して整髪作業等を行う際に、左扉２０に備わるミラー３ａを前方に回動させると共に、図７（ｂ）のように前面にミラー３ｂを貼着した中央扉２１を前方に回動させたり、図７（ａ）のように右扉２２に備わるミラー３ｂを前方に回動させたりすることで、左扉２０に備わるミラー３ａと、中央扉２１または右扉２２に備わるミラー３ｂとをそれぞれ整髪作業等をする使用者に対面させる回動姿勢にできるのであって、つまり左扉２０に備わるミラー３ａと、中央扉２１または右扉２２に備わるミラー３ｂとに使用者の姿を異なる角度から映し出すようにできるのである。このように、異なる角度からの使用者自身の鏡像を利用してヘアドライヤー５を使った整髪作業を行うことができる５５から、この点でもミラーキャビネット１に良好な使い勝手が備えられているのである。
【図面の簡単な説明】
【００３１】
【図１】本発明の実施の形態の例の洗面化粧台での整髪作業の際の概略斜視図である。
【図２】同上の洗面化粧台の斜視図である。
【図３】同上の洗面化粧台であり、（ａ）は正面図であり、（ｂ）は側面図である。
【図４】同上のミラーキャビネットの使用形態の一例の概略平面図である。
【図５】実施の形態の他例の洗面化粧台におけるミラーキャビネットの要部の概略斜視図である。
【図６】実施の形態の更に他例の洗面化粧台におけるミラーキャビネットの要部の概略斜視図である。
【図７】実施の形態の更に他例の洗面化粧台での整髪作業の際の使用形態を説明する説明図であり、（ａ）は使用形態の一例を示す概略斜視図であり、（ｂ）は使用形態の他例を示す概略斜視図である。
【図８】同上のミラーキャビネットの使用形態を説明する説明図であり、（ａ）は使用形態の一例の概略平面図であり、（ｂ）は使用形態の他例の概略平面図である。
【図９】従来技術の例のミラーキャビネット（洗面化粧台）の斜視図である。
【符号の説明】
【００３２】
１  ミラーキャビネット
２  扉
２ａ  ヘアドライヤー支持部を有した扉
２ｂ  扉２ａの回動端側に配置された扉
３  ミラー
３ａ  扉２ａのミラー
３ｂ  扉２ｂのミラー
４  ヘアドライヤー支持部
５  ヘアドライヤー
６  風吹出口
７  キャビネット部
８  収納部
１０  洗面化粧台
２０  左扉
２１  中央扉
２２  右扉
【図１】
2008237613.tif 000003
【図２】
2008237613.tif 000004
【図３】
2008237613.tif 000005
【図４】
2008237613.tif 000006
【図５】
2008237613.tif 000007
【図６】
2008237613.tif 000008
【図７】
2008237613.tif 000009
【図８】
2008237613.tif 000010
【図９】
2008237613.tif 000011